(57)【要約】【課題】２つの帯電粒子生成装置が高い生成効率で帯電粒子を生成することが可能な空調機を得る。【解決手段】空調機１１は、収容部１０２、通風路１２３および吹出口１２４を含む筺体１００と、帯電粒子生成装置１３０と、帯電粒子生成装置１３０により生成した帯電粒子を吹出口１２４から送り出す通風手段１２８と、収容部１０２に着脱可能に取り付けられ他の通風手段を含む帯電粒子生成装置２とを備え、帯電粒子生成装置２が収容部１０２に取り付けられた状態では、帯電粒子生成装置２は、他の通風手段を用いて通風手段１２８からの気流の一部を取り込み、帯電粒子を発生させて送り出す。【選択図】図５
2014044812.tif 000002
【特許請求の範囲】
【請求項１】
収容部、通風路、および、前記通風路の下流位置に設けられた吹出口を含む筺体と、
前記筺体の中に配置される第１帯電粒子生成装置と、
前記筺体の中に配置され、前記第１帯電粒子生成装置により生成した帯電粒子を前記吹出口から前記筺体の外部に送り出す第１通風手段と、
前記収容部に着脱可能に取り付けられ、第２通風手段を含む第２帯電粒子生成装置と、を備え、
前記第２帯電粒子生成装置は、
電源と、
前記電源から供給される電圧から高電圧を発生させる高電圧回路と、
前記高電圧回路からの前記高電圧を受けて帯電粒子を生じさせる帯電粒子生成部と、を含み、
前記第２帯電粒子生成装置が前記収容部に取り付けられた状態では、前記第２帯電粒子生成装置は、前記第２通風手段を用いて前記第１通風手段からの気流の一部を取り込み、帯電粒子を発生させて前記気流の前記一部とともに前記筺体の前記外部に送り出す、
空調機。
【請求項２】
前記通風路には、前記第１通風手段からの前記気流の前記一部を、前記収容部に取り付けられた前記第２帯電粒子生成装置の前記第２通風手段に案内するガイド部が設けられる、
請求項１に記載の空調機。
【請求項３】
前記筺体は、前記通風路を形成するための、第１面部材および前記第１面部材に対向する第２面部材を有し、
前記第１帯電粒子生成装置は、前記通風路から見て前記第１面部材の側に配置され、
前記第２帯電粒子生成装置は、前記通風路から見て前記第２面部材の側に配置される、
請求項２に記載の空調機。
【請求項４】
前記第１帯電粒子生成装置は、前記ガイド部よりも前記通風路の上流側に位置する、
請求項２または３に記載の空調機。
【請求項５】
前記第１帯電粒子生成装置は、前記ガイド部よりも前記通風路の下流側に位置する、
請求項２または３に記載の空調機。
【請求項６】
前記収容部には、前記収容部に取り付けられた前記第２帯電粒子生成装置に電気的に接触する導電部材が設けられ、
前記第２帯電粒子生成装置に帯電した電荷は、前記導電部材を通して逃がされる、
請求項１から５のいずれかに記載の空調機。
【請求項７】
前記第２帯電粒子生成装置を制御する制御信号を送出する制御部と、
前記収容部の内側において凸状に設けられた複数の接続端子と、をさらに備え、
前記収容部に取り付けられた前記第２帯電粒子生成装置は、前記接続端子を通して前記制御信号を受信する、
請求項１から６のいずれかに記載の空調機。
【請求項８】
前記第２帯電粒子生成装置に電力を供給する電源部をさらに備え、
前記収容部に取り付けられた前記第２帯電粒子生成装置は、前記接続端子を通して前記電力を受け取って充電される、
請求項７に記載の空調機。
【請求項９】
仮想の正三角形を描いた場合、複数のうちの３本の前記接続端子は、前記正三角形の３つの頂点に一本ずつ配置され、複数のうちの他の３本の前記接続端子は、前記正三角形の３つの辺に一本ずつ配置されている、
請求項７または８に記載の空調機。
【発明の詳細な説明】
【技術分野】
【０００１】
本発明は、空調機に関し、特に、帯電粒子生成装置を備える空調機に関する。
【背景技術】
【０００２】
特開２０１１−０９８０７４号公報（特許文献１）は、空気清浄機に関する発明を開示している。この空気清浄機は、帯電粒子を生成する帯電粒子生成装置を備えている。同公報は、この空気清浄機によれば、メイン気流に影響を受けることなく、静電ミストを安定的に供給することができると述べている。
【先行技術文献】
【特許文献】
【０００３】
【特許文献１】特開２０１１−０９８０７４号公報
【発明の概要】
【発明が解決しようとする課題】
【０００４】
本発明は、２つの帯電粒子生成装置を備えた空調機において、それぞれの帯電粒子生成装置が高い生成効率で帯電粒子を生成することが可能な空調機を提供することを目的とする。
【課題を解決するための手段】
【０００５】
本発明に基づく空調機は、収容部、通風路、および、上記通風路の下流位置に設けられた吹出口を含む筺体と、上記筺体の中に配置される第１帯電粒子生成装置と、上記筺体の中に配置され、上記第１帯電粒子生成装置により生成した帯電粒子を上記吹出口から上記筺体の外部に送り出す第１通風手段と、上記収容部に着脱可能に取り付けられ、第２通風手段を含む第２帯電粒子生成装置と、を備え、上記第２帯電粒子生成装置は、電源と、上記電源から供給される電圧から高電圧を発生させる高電圧回路と、上記高電圧回路からの上記高電圧を受けて帯電粒子を生じさせる帯電粒子生成部と、を含み、上記第２帯電粒子生成装置が上記収容部に取り付けられた状態では、上記第２帯電粒子生成装置は、上記第２通風手段を用いて上記第１通風手段からの気流の一部を取り込み、帯電粒子を発生させて上記気流の上記一部とともに上記筺体の上記外部に送り出す。
【０００６】
好ましくは、上記通風路には、上記第１通風手段からの上記気流の上記一部を、上記収容部に取り付けられた上記第２帯電粒子生成装置の上記第２通風手段に案内するガイド部が設けられる。
【０００７】
好ましくは、上記筺体は、上記通風路を形成するための、第１面部材および上記第１面部材に対向する第２面部材を有し、上記第１帯電粒子生成装置は、上記通風路から見て上記第１面部材の側に配置され、上記第２帯電粒子生成装置は、上記通風路から見て上記第２面部材の側に配置される。
【０００８】
好ましくは、上記第１帯電粒子生成装置は、上記ガイド部よりも上記通風路の上流側に位置する。
【０００９】
好ましくは、上記第１帯電粒子生成装置は、上記ガイド部よりも上記通風路の下流側に位置する。
【００１０】
好ましくは、上記収容部には、上記収容部に取り付けられた上記第２帯電粒子生成装置に電気的に接触する導電部材が設けられ、上記第２帯電粒子生成装置に帯電した電荷は、上記導電部材を通して逃がされる。
【００１１】
好ましくは、上記第２帯電粒子生成装置を制御する制御信号を送出する制御部と、上記収容部の内側において凸状に設けられた複数の接続端子と、をさらに備え、上記収容部に取り付けられた上記第２帯電粒子生成装置は、上記接続端子を通して上記制御信号を受信する。
【００１２】
好ましくは、上記第２帯電粒子生成装置に電力を供給する電源部をさらに備え、上記収容部に取り付けられた上記第２帯電粒子生成装置は、上記接続端子を通して上記電力を受け取って充電される。
【００１３】
好ましくは、仮想の正三角形を描いた場合、複数のうちの３本の上記接続端子は、上記正三角形の３つの頂点に一本ずつ配置され、複数のうちの他の３本の上記接続端子は、上記正三角形の３つの辺に一本ずつ配置されている。
【発明の効果】
【００１４】
本発明によれば、２つの帯電粒子生成装置が高い生成効率で帯電粒子を生成することが可能な空調機を得ることができる。
【図面の簡単な説明】
【００１５】
【図１】実施の形態１における空調機を示す斜視図である。
【図２】実施の形態１における空調機を示す上面図である。
【図３】実施の形態１における空調機を示す正面図である。
【図４】実施の形態１における空調機を示す右側面図である。
【図５】図１中のＶ−Ｖ線に沿った矢視断面図である。
【図６】実施の形態１における空調機を示す断面図である。
【図７】実施の形態１における空調機に用いられる操作パネルを示す図である。
【図８】実施の形態１における空調機に用いられる帯電粒子生成装置２の組み立てられた状態を示す斜視図である。
【図９】実施の形態１における空調機に用いられる帯電粒子生成装置２の分解した状態を示す斜視図である。
【図１０】実施の形態１における空調機に用いられる帯電粒子生成装置２の帯電粒子生成素子を示す斜視図である。
【図１１】実施の形態１における空調機の機能ブロックを示す図である。
【図１２】実施の形態１における空調機の動作を示す断面図である。
【図１３】実施の形態２における空調機を示す断面図である。
【図１４】実施の形態３における空調機を示す断面図である。
【図１５】実施の形態４における空調機に用いられる帯電粒子生成装置２Ａを示す背面図である。
【図１６】実施の形態４における空調機に用いられる帯電粒子生成装置２Ａを示す側面図である。
【図１７】実施の形態４における空調機が備える収容部を示す図である。
【図１８】実施の形態４における空調機に用いられる帯電粒子生成装置の第１変形例を示す図である。
【図１９】実施の形態４における空調機に用いられる帯電粒子生成装置の第２変形例を示す図である。
【図２０】実施の形態４における空調機に用いられる帯電粒子生成装置の第３変形例を示す図である。
【図２１】実施の形態５における空調機に用いられる帯電粒子生成装置が機器本体に収容される様子を示す図である。
【図２２】実施の形態５における空調機に用いられる帯電粒子生成装置のケースの底部から見たコネクタを示す底面図である。
【図２３】実施の形態５における空調機に用いられる帯電粒子生成装置のケースの断面を模式的に示す図である。
【図２４】実施の形態５の変形例における空調機に用いられる帯電粒子生成装置のケースの底部から見たコネクタを示す底面図である。
【図２５】実施の形態５の変形例における空調機に用いられる帯電粒子生成装置のケースの断面を模式的に示す図である。
【発明を実施するための形態】
【００１６】
本発明に基づいた各実施の形態について、以下、図面を参照しながら説明する。各実施の形態の説明において、個数および量などに言及する場合、特に記載がある場合を除き、本発明の範囲は必ずしもその個数およびその量などに限定されない。各実施の形態の説明において、同一の部品および相当部品に対しては、同一の参照番号を付し、重複する説明は繰り返さない場合がある。
【００１７】
［実施の形態１］
（空調機１１の外観構成）
図１〜図１２を参照して、本実施の形態における空調機１１について説明する。図１は、空調機１１を示す斜視図である。図２は、空調機１１を示す上面図である。図３は、空調機１１を示す正面図である。図４は、空調機１１を示す右側面図である。
【００１８】
図１〜図４に示すように、空調機１１は、機器本体１および帯電粒子生成装置２を備える。機器本体１は、筐体１００、操作パネル１０４、風向調整部１０６、給水タンク１０８および水受部１１０を含む。操作パネル１０４および風向調整部１０６は、筐体１００の上面側に設けられる。給水タンク１０８および水受部１１０は、筐体１００の背面側に設けられる。
【００１９】
筐体１００の右側面には（図１および図４参照）、吸気口１１２および電源コード接続口１１４が設けられる。筐体１００の左側面にも、吸気口１１２と同様な吸気口（図示せず）が設けられる。筐体１００の右側面に位置する吸気口１１２および筐体１００の左側面に位置する吸気口（図示せず）は、筐体１００の内部の通風路１２１（図５参照）に連通している。電源コード接続口１１４には、図示しない電源コードが接続される。
【００２０】
（空調機１１の内部構成）
図５は、図１中のＶ−Ｖ線に沿った矢視断面図である。空調機１１が使用される際、筐体１００はたとえば床面上に載置される。筐体１００は、収容部１０２、通風路１２１〜１２３および吹出口１２４を有する。筐体１００の中には、フィルタ１２６、送風機１２８（第１通風手段）、帯電粒子生成装置１３０（第１帯電粒子生成装置）、制御回路１３２（制御部）および帯電粒子生成装置２（第２帯電粒子生成装置）が配置される。
【００２１】
通風路１２１には、筐体１００の右側面に設けられた吸気口１１２（図１参照）および筐体１００の左側面に設けられた吸気口（図示せず）を通して空気が供給される。通風路１２１は、通風路１２２に連通している。通風路１２２は、通風路１２３に連通している。吹出口１２４は、通風路１２３の下流位置に設けられる。収容部１０２は、吹出口１２４および風向調整部１０６の近傍に位置する。
【００２２】
図６中の矢印ＡＲ１に示されるように、帯電粒子生成装置２（第２帯電粒子生成装置）は、収容部１０２に着脱可能に取り付けられる。図５の中では、収容部１０２に帯電粒子生成装置２が取り付けられている状態が示されている。図６の中では、収容部１０２から帯電粒子生成装置２が取り外された状態が示されている。帯電粒子生成装置２の詳細については、図８〜図１０を参照して後述する。
【００２３】
操作パネル１０４は、筐体１００の上面側に配置される。操作パネル１０４は、使用者によって操作されて、使用者の指示を受け付ける。帯電粒子生成装置２が機器本体１の収容部１０２に取り付けられた状態において、操作パネル１０４は、空調機１１の全体の操作パネルとして機能する。一方、帯電粒子生成装置２が機器本体１から取り外された状態において、操作パネル１０４は、機器本体１の操作パネルとして機能する。操作パネル１０４の更なる詳細については、図７を参照して後述する。
【００２４】
風向調整部１０６も、筐体１００の上面側に配置される。風向調整部１０６は、支持部１０６Ｐを中心として回動可能である（図５および図６参照）。風向調整部１０６が回動することにより、吹出口１２４が開閉される。支持部１０６Ｐを挟んで風向調整部１０６の反対側には、風路形成部１０６Ｔが設けられる。風路形成部１０６Ｔは、風向調整部１０６から見て通風路１２３の側に位置している。
【００２５】
風向調整部１０６および風路形成部１０６Ｔは、それぞれ板状の形状を有し、風路形成部１０６Ｔの大きさは、風向調整部１０６の大きさよりも小さい。風向調整部１０６および風路形成部１０６Ｔは、支持部１０６Ｐを中心に一体的に回動する。風向調整部１０６および風路形成部１０６Ｔの傾きに応じて、機器本体１の吹出口１２４からの空気の吹出方向が規定される。
【００２６】
給水タンク１０８は、水１１９を蓄える。水受部１１０は、給水タンク１０８の下方に配置される。水受部１１０は、給水タンク１０８を支持するとともに、給水タンク１０８から水１１９を受ける。本実施の形態では、給水タンク１０８は筐体１００に着脱可能である。給水タンク１０８は筐体１００と一体化されていてもよい。給水タンク１０８は、必要に応じて設けられるとよい。
【００２７】
フィルタ１２６は、通風路１２１と通風路１２２との間に配置される。フィルタ１２６の下部は、水受部１１０に供給された水１１９の中に浸漬される。送風機１２８は、通風路１２２と通風路１２３との間に配置される。送風機１２８は、たとえばシロッコファンである。送風機１２８の動作によって通風路１２１を流れる空気は、フィルタ１２６を通過する。空気がフィルタ１２６を通過する際、その空気から塵埃などが除去され、その空気は加湿される。フィルタ１２６を通過した空気は、通風路１２２を通り、送風機１２８によって通風路１２３に送出される。
【００２８】
（帯電粒子生成装置１３０）
帯電粒子生成装置１３０は、通風路１２３の途中部分に配置される。本実施の形態においては、筐体１００は、第１面部材１２３Ａ（図６参照）および第１面部材１２３Ａに対向する第２面部材１２３Ｂ（図６参照）を有する。第１面部材１２３Ａおよび第２面部材１２３Ｂは、通風路１２３を形成している。
【００２９】
上述のとおり、筐体１００には、帯電粒子生成装置２を収容するための収容部１０２が設けられる。通風路１２３の中の帯電粒子生成装置１３０と略同一の高さ位置に、ガイド部１２５が設けられる。ガイド部１２５は、板状の部材から構成され、断面視略Ｌ字形状を有している。収容部１０２は、ガイド部１２５と第２面部材１２３Ｂとの間に形成される。通風路１２３の中の空気の流れる方向において、ガイド部１２５の上流側の部分は、送風機１２８に向かって折れ曲っている。
【００３０】
帯電粒子生成装置１３０は、通風路１２３から見て第１面部材１２３Ａの側に配置される。収容部１０２および帯電粒子生成装置２は、通風路１２３から見て第２面部材１２３Ｂの側に配置される。通風路１２３内を流れる空気は、ガイド部１２５の最上流側に位置する先端部１２５Ｔを起点として、帯電粒子生成装置１３０側に流れるものと、収容部１０２（帯電粒子生成装置２）側に流れるものとに分岐する。本実施の形態の帯電粒子生成装置１３０は、送風機１２８が発生する気流の方向において、ガイド部１２５の先端部１２５Ｔよりも通風路１２３の下流側（吹出口１２４寄り）に位置している。
【００３１】
帯電粒子生成装置１３０は、図示しないイオン発生電極と、イオン発生電極に対向配置されている対向電極とを備え、コロナ放電によって、帯電粒子を発生させる。本実施の形態では、帯電粒子は、正イオンおよび負イオンの双方を含む。帯電粒子生成装置１３０は、正イオンおよび負イオンのうちの一方のみを発生させてもよい。
【００３２】
正イオンは、通風路１２３を通過する空気中に含まれる水分と結合する。正イオンは、Ｈ＋（Ｈ２Ｏ）ｍ（ｍは任意の自然数である。）を主として含み、電荷が正のクラスタイオンを形成する。負イオンも、通風路１２３を通過する空気中に含まれる水分と結合する。負イオンは、Ｏ２−（Ｈ２Ｏ）ｎ（ｎは零または任意の自然数である。）を主として含み、電荷が負のクラスタイオンを形成する。正イオンおよび負イオンは、通風路１２３を通過する空気中に浮遊する。
【００３３】
上述のとおり、帯電粒子生成装置２は、機器本体１に着脱可能である（矢印ＡＲ１参照）。詳細は後述されるが、帯電粒子生成装置２は、クリップ２５０を備える。帯電粒子生成装置２が収容部１０２内に配置された状態においては、クリップ２５０とガイド部１２５との間に生じる摩擦（摩擦係合）を利用して、帯電粒子生成装置２は収容部１０２に固定される。
【００３４】
収容部１０２の底面１０３には、コネクタ１３１が配置される。コネクタ１３１は、収容部１０２に取り付けられた帯電粒子生成装置２に電気的に接続される複数の接続端子から構成される。コネクタ１３１（複数の接続端子）は、収容部１０２の内側において収容部１０２の表面から突出するように凸状に設けられている。コネクタ１３１は、収容部１０２の側面１０１（第２面部材１２３Ｂ）上に配置されてもよい。
【００３５】
制御回路１３２は、コネクタ１３１に電気的に接続されている。帯電粒子生成装置２が機器本体１の収容部１０２に取り付けられた状態において、制御回路１３２と帯電粒子生成装置２とは、コネクタ１３１を通して電気的に接続される。制御回路１３２は、機器本体１および帯電粒子生成装置２等を制御する。操作パネル１０４が使用者によって操作された場合、操作内容を示す信号が制御回路１３２に送られる。制御回路１３２は、その信号に応答して機器本体１および帯電粒子生成装置２等を制御する。
【００３６】
帯電粒子生成装置２が機器本体１の収容部１０２に取り付けられた状態において、制御回路１３２は、機器本体１とともに帯電粒子生成装置２を制御し、帯電粒子生成装置２は、機器本体１と連動する。帯電粒子生成装置２も、帯電粒子を含む気流を発生させる。機器本体１だけでなく帯電粒子生成装置２も帯電粒子を発生させることにより、空調機１１から高濃度の帯電粒子を発生させることができる。
【００３７】
（操作パネル１０４）
図７は、空調機１１（図１参照）に用いられる操作パネル１０４を示す図である。操作パネル１０４には、操作ボタン１５１〜１５４および表示ランプ１５５〜１６３が設けられる。操作ボタン１５１〜１５４の各々は、使用者によって操作される。操作に応じた信号が制御回路１３２（図６参照）へと送られる。表示ランプ１５５〜１６３は、使用者に対して所定の情報を通知する。
【００３８】
操作ボタン１５１は、使用者が空調機１１に対して空調機１１の運転および停止を指示するためのボタンである。空調機１１の運転が指示された場合、表示ランプ１５５は点灯する。空調機１１の停止が指示された場合、表示ランプ１５５は消灯する。操作ボタン１５２は、使用者が空調機１１に対して空調機１１の風量を指示するためのボタンである。空調機１１は、風量の設定に関するモードとして自動モードと手動モードとを備える。操作ボタン１５２の操作によって自動モードと手動モードとが交互に切り換わる。
【００３９】
自動モードが選択された場合、表示ランプ１５６が点灯する。手動モードでは、風量が「強」、「中」および「静音」の３段階の間で切り換えられる。表示ランプ１５７〜１５９は、「強」、「中」および「静音」にそれぞれ対応する。「強」、「中」および「静音」のいずれかの段階が選択された場合、表示ランプ１５７〜１５９のうちの対応する表示ランプが点灯する。
【００４０】
操作ボタン１５３は、空調機１１からのイオンを発生するか否かを切り換えるために使用者が操作するためのボタンである。空調機１１からのイオン発生が選択された場合、表示ランプ１６０が点灯する。操作ボタン１５４は、使用者がタイマー動作を設定するためのボタンである。空調機１１の動作中に操作ボタン１５４が操作された場合、その操作の時点から一定時間の後に空調機１１が停止する。タイマー動作が選択された場合には、表示ランプ１６１が点灯する。
【００４１】
表示ランプ１６２は、帯電粒子生成装置１３０の交換時期が到来したことを示すためのランプである。機器本体１の総運転時間（累積使用時間）は、制御回路１３２（図６参照）において計測される。機器本体１の累積使用時間が規定時間に達した場合に、表示ランプ１６２が点滅する。この規定時間は、帯電粒子生成装置１３０の使用時間に対する帯電粒子の発生量の減少率を考慮して予め定められる。
【００４２】
表示ランプ１６３は、空調機１１が空気を加湿していることを示す。空調機１１が空気を加湿していない時、表示ランプ１６３は消灯する。空調機１１が空気を加湿している時、表示ランプ１６３は緑色に点灯する。機器本体１の給水タンク１０８（図１参照）に給水が必要な場合には、表示ランプ１６３が赤色に点滅する。
【００４３】
（帯電粒子生成装置２）
図８は、帯電粒子生成装置２の組み立てられた状態を示す斜視図である。図１０は、帯電粒子生成装置２の分解した状態を示す斜視図である。図９および図１０を参照して、帯電粒子生成装置２は、ケース２０１、送風ファン２０３（第２通風手段）、バッテリ２０７（電源）、スイッチ２０８、コネクタ２０９、基板２１１、帯電粒子生成素子２２０およびクリップ２５０を備える。クリップ２５０は、ケース２０１の外表面上に設けられる。クリップ２５０を利用して、帯電粒子生成装置２は使用者の衣服などに容易に取り付けられることができる。
【００４４】
ケース２０１は、ケース２０１の幅方向（Ｙ方向）に対して垂直な側面２０１ｃを有する。側面２０１ｃには、外部の空気をケース２０１内に導入するための吸込口２３０が形成される。帯電粒子生成装置２が機器本体１の収容部１０２（図６参照）に取り付けられた状態では、通風路１２３（図６参照）を通過する気流の一部は、吸込口２３０を通してケース２０１内に取り込まれる。
【００４５】
ケース２０１の長手方向（Ｘ方向）の一方端２０１ｄに、ケース２０１内の空気を外部に吹き出すための吹出口２４０が形成される。ケース２０１の内部には、吸込口２３０と吹出口２４０とを連通する通気路が形成される。帯電粒子生成装置２が機器本体１の収容部１０２（図６参照）に取り付けられた状態では、吹出口２４０から吹き出された空気は、機器本体１の吹出口１２４（図６参照）を通して外部に吹き出される。
【００４６】
図９に示すように、ケース２０１は、上側ケース２０１ａと下側ケース２０１ｂとを含む。上側ケース２０１ａおよび下側ケース２０１ｂは、一体化されて、薄箱状のケース２０１を構成する。ケース２０１の中には、送風ファン２０３、バッテリ２０７、スイッチ２０８、コネクタ２０９および帯電粒子生成素子２２０が収容される。
【００４７】
送風ファン２０３は、遠心ファンまたはプロペラファン等である。送風ファン２０３は、バッテリ２０７から供給される電力、またはコネクタ２０９を通じて機器本体１から供給される電力を用いて作動する。送風ファン２０３の作動によって、外部の空気または通風路１２３（図６参照）を通過する気流の一部は、吸込口２３０からケース２０１の内部に導入されて、吹出口２４０から外部へ吹出される。
【００４８】
送風ファン２０３は、基板２１１の表面２１１ａと上側ケース２０１ａの内表面との間に配置される。送風ファン２０３には、開口２０３ａと開口２０３ｂとが形成される。開口２０３ａは、送風ファン２０３の厚み方向（Ｚ方向）に対して垂直な送風ファン２０３の面に形成される。開口２０３ｂは、吹出口２４０と同じ側に位置する送風ファン２０３の面に形成される。
【００４９】
バッテリ２０７は、直流電源であり、かつ電力を蓄える蓄電装置である。バッテリ２０７は、ニッケル水素電池またはリチウムイオン電池などの二次電池を含む。バッテリ２０７は、送風ファン２０３および帯電粒子生成素子２２０に直流電力を供給する。帯電粒子生成装置２が機器本体１の収容部１０２に取り付けられた状態において、バッテリ２０７は、コネクタ２０９およびコネクタ１３１（図６参照）を通じて機器本体１からの直流電力を受ける。この電力によって、バッテリ２０７が充電される。バッテリ２０７の電圧は、数Ｖ程度である。
【００５０】
バッテリ２０７は、送風ファン２０３の動作によって生じる気流を妨げない位置に配置される。図９に示された構成では、バッテリ２０７は、Ｚ方向に沿って、送風ファン２０３と重なるように配置される。スイッチ２０８は、使用者の操作を受付ける。使用者は、スイッチ２０８を操作することによって、帯電粒子生成装置２の作動と停止とを切り換えることができる。
【００５１】
コネクタ２０９は、複数の接続端子を備える。複数の接続端子には、電源端子と信号入力端子とが含まれる。電源端子は、機器本体１から直流電力を受けるための端子である。電源端子を通じて機器本体１から入力された電力は、送風ファン２０３、帯電粒子生成素子２２０およびバッテリ２０７に供給される。信号入力端子は、機器本体１の制御回路１３２（制御部）から各種の制御信号を受信する。帯電粒子生成装置２は、コネクタ２０９の信号入力端子から入力された制御信号に応答して動作する。
【００５２】
図１０は、帯電粒子生成素子２２０を示す斜視図である。図９および図１０を参照して、帯電粒子生成素子２２０は、基板２１１、駆動部２１０（高電圧回路）および帯電粒子生成部２１５を含む。駆動部２１０は、基板２１１の表面２１１ａに配置される。駆動部２１０は、帯電粒子生成部２１５での放電を制御するためのものであり、パルス発生回路、コンデンサおよびＦＥＴ(Field  Effect  Transistor)などを含む。
【００５３】
駆動部２１０は、バッテリ２０７と帯電粒子生成部２１５とに接続される。駆動部２１０は、バッテリ２０７からの電圧を１０Ｖ〜２０Ｖに昇圧して帯電粒子生成部２１５に出力する。駆動部２１０は、帯電粒子生成部２１５の放電制御のためのパルス信号を生成して、その信号を帯電粒子生成部２１５へと出力する。
【００５４】
帯電粒子生成部２１５は、高電圧発生部２０６、正側整流素子２０５ａ、負側整流素子２０５ｂ、正イオン放電部２０４ａおよび負イオン放電部２０４ｂを有する。高電圧発生部２０６は、トランス等を含み、駆動部２１０から入力された信号に応答して、２ｋＶ〜１０ｋＶの正負の高電圧を生成する。
【００５５】
正側整流素子２０５ａおよび負側整流素子２０５ｂは、たとえばダイオードを含む。正側整流素子２０５ａおよび負側整流素子２０５ｂは、たとえば円柱形状を有し、その長手方向に通電可能に構成される。正側整流素子２０５ａおよび負側整流素子２０５ｂは、その通電方向がＹ方向に平行となるように配置される。正側整流素子２０５ａおよび負側整流素子２０５ｂは、基板２１１の表面２１１ａから基板２１１の厚み方向に埋め込まれるように配置される。
【００５６】
正側整流素子２０５ａは、高電圧発生部２０６と正イオン放電部２０４ａとに接続される。正側整流素子２０５ａは、高電圧発生部２０６によって生成された正負の高電圧のうち正の高電圧のみを正イオン放電部２０４ａへ通過させる。負側整流素子２０５ｂは、高電圧発生部２０６と負イオン放電部２０４ｂとに接続される。負側整流素子２０５ｂは、高電圧発生部２０６によって生成された正負の高電圧のうち負の高電圧のみを負イオン放電部２０４ｂへ通過させる。
【００５７】
正イオン放電部２０４ａおよび負イオン放電部２０４ｂは、放電によってイオンを発生させるための部分であり、先端が鋭利な針形状を有している。正イオン放電部２０４ａおよび負イオン放電部２０４ｂは、高耐熱および高耐食性を有する金属であり、たとえば、インコネルで作られる。正イオン放電部２０４ａの針形状の一方端（先端）は空気中に露出し、正イオン放電部２０４ａの他方端は正側整流素子２０５ａに接続される。負イオン放電部２０４ｂの針形状の一方端（先端）は空気中に露出し、負イオン放電部２０４ｂの他方端は負側整流素子２０５ｂに接続される。負イオン放電部２０４ｂは、Ｙ方向に正イオン放電部２０４ａから離間して設けられる。
【００５８】
（空調機１１の機能ブロック）
図１１は、空調機１１の機能ブロックを示す図である。機器本体１は、機能ブロックとして、電源コード接続口１１４、電源部１４０、帯電粒子生成装置１３０、送風機１２８、風向調整部１０６、制御回路１３２、操作パネル１０４およびコネクタ１３１を備える。便宜上、図１１では、コネクタ１３１は制御回路１３２と分離して記載されている。
【００５９】
電源部１４０は、電源コード接続口１１４に接続された電源コード１１５を通じて電力を受ける。電源部１４０は、帯電粒子生成装置１３０、送風機１２８、風向調整部１０６、制御回路１３２および操作パネル１０４に電力を供給する。帯電粒子生成装置２が機器本体１の収容部１０２に取り付けられた状態では、電源部１４０は、コネクタ１３１を通じて帯電粒子生成装置２に電力を供給する。
【００６０】
操作パネル１０４は、電源部１４０からの電力を利用して、表示ランプを点灯させるとともに、使用者の操作に応じた信号を発生させる。制御回路１３２は、操作パネル１０４からの信号を受ける。制御回路１３２は、その信号に応答して、帯電粒子生成装置１３０、送風機１２８および風向調整部１０６を制御する。帯電粒子生成装置２が機器本体１の収容部１０２に取り付けられた状態では、制御回路１３２は、コネクタ１３１を通じて制御信号を帯電粒子生成装置２へと送信する。
【００６１】
制御回路１３２は帯電粒子生成装置１３０を制御して、帯電粒子生成装置１３０から正イオンおよび負イオンを発生させる。制御回路１３２は送風機１２８を制御して、機器本体１からの風量を制御する。空調機１１は、たとえば埃センサなど各種のセンサをさらに備えてもよい。制御回路１３２はセンサの検出結果に基づいて風量を決定し、その風量が達成されるように送風機１２８を制御することができる。制御回路１３２は、風向調整部１０６を制御して、機器本体１および帯電粒子生成装置２から送出される風の向きを制御する。
【００６２】
帯電粒子生成装置２は、バッテリ２０７、スイッチ２０８、帯電粒子生成素子２２０、送風ファン２０３、制御回路２６０、コネクタ２０９および充電回路２８０を備える。充電回路２８０は、必要に応じて設けられるとよい。スイッチ２０８は、使用者によって操作される。帯電粒子生成装置２が収容部１０２から取り外された状態で使用される場合には、スイッチ２０８がオンすることにより、バッテリ２０７は、帯電粒子生成素子２２０に電圧を印加するとともに送風ファン２０３および制御回路２６０に電力を供給する。
【００６３】
スイッチ２０８が、風量の切換に関する使用者の指示を受付けてもよい。スイッチ２０８が、「弱」および「強」などといった少なくとも２つの段階の間で風量を切り換えるための使用者の指示を受け付けるものであってもよい。この構成の場合には、制御回路２６０がスイッチ２０８の状態を検出する。スイッチ２０８の状態に応じて風量が段階的に切換わるように、制御回路２６０が送風ファン２０３を制御する。
【００６４】
帯電粒子生成装置２が収容部１０２から取り外された状態で使用される場合には、制御回路２６０はバッテリ２０７からの電力が供給されることにより起動する。制御回路２６０が起動すると、制御回路２６０は駆動部２１０および送風ファン２０３を作動させる。帯電粒子を含む気流が帯電粒子生成装置２から発生する。
【００６５】
帯電粒子生成装置２が機器本体１の収容部１０２に取り付けられた状態では、コネクタ２０９がコネクタ１３１に接続される。帯電粒子生成装置２は、機器本体１からの電力および制御信号を受ける。コネクタ２０９は電源端子２９１および信号入力端子２９２を有する。電源端子２９１は機器本体１からの電力を受ける。電源端子２９１は、充電回路２８０を通してバッテリ２０７に電気的に接続される。電源端子２９１は、制御回路２６０および帯電粒子生成素子２２０に電気的に接続される。
【００６６】
信号入力端子２９２は制御回路２６０に電気的に接続される。制御回路２６０は、信号入力端子２９２を通じて、機器本体１からの制御信号を受ける。機器本体１からの電力は制御回路２６０、帯電粒子生成素子２２０および送風ファン２０３に供給される。制御回路２６０は、機器本体１からの制御信号に応じて、帯電粒子生成素子２２０および送風ファン２０３の両方を作動および停止させる。
【００６７】
機器本体１からの電力は、さらに充電回路２８０を通じてバッテリ２０７に供給される。たとえば、機器本体１が送風を停止している状態において、制御回路２６０は充電回路２８０を作動させてバッテリ２０７を充電する。機器本体１と帯電粒子生成装置２とがともに作動している状態において、制御回路２６０は充電回路２８０を作動させてバッテリ２０７を充電させてもよい。
【００６８】
帯電粒子生成装置２が機器本体１の収容部１０２に取り付けられた状態では、帯電粒子生成装置２は機器本体１と連動する。帯電粒子生成装置２が機器本体１の収容部１０２に取り付けられている状態とは、機器本体１のコネクタ１３１と帯電粒子生成装置２のコネクタ２０９とが電気的に接続されている状態である。この状態において、機器本体１の作動が開始すると、帯電粒子生成装置２が作動する。一方、機器本体１が停止すると帯電粒子生成装置２も停止する。
【００６９】
「連動する」とは、帯電粒子生成装置２の作動の開始および終了が、それぞれ機器本体１の作動の開始および終了をトリガとすることを含む。帯電粒子生成装置２の作動および停止のタイミングと機器本体１の作動および停止のタイミングとがそれぞれ一致する必要はない。たとえば機器本体１の作動開始から遅れて帯電粒子生成装置２が作動を開始してもよい。たとえば機器本体１の停止から遅れて帯電粒子生成装置２が停止してもよい。
【００７０】
（空調機１１の動作）
図１２を参照して、以上のように構成される空調機１１の動作について説明する。帯電粒子生成装置２が収容部１０２に取り付けられている状態において、空調機１１が使用者によって駆動されたとする。制御回路１３２は、操作パネル１０４からの信号に応じて、風向調整部１０６を動作させて吹出口１２４を開く。
【００７１】
制御回路１３２は、帯電粒子生成装置１３０および帯電粒子生成装置２を制御して帯電粒子を発生させる。送風機１２８の動作によって、筐体１００の内部（通風路１２１）に空気が取り込まれる。図中の白抜きの矢印は気流を表現している。その空気は必要に応じて加湿され、通風路１２２を通して通風路１２３に送出される。通風路１２３を通過する気流は、帯電粒子生成装置１３０により生成した帯電粒子を吹出口１２４から筐体１００の外部に送り出す。
【００７２】
通風路１２３を通過する気流の一部は、ガイド部１２５によって収容部１０２側に流れる。収容部１０２側に流れた気流は、吸込口２３０（図９参照）を通して帯電粒子生成装置２の内部に取り込まれ、帯電粒子生成装置２により生成した帯電粒子を吹出口１２４から筐体１００の外部に送り出す。この際、送風機１２８からの送風を受けて、帯電粒子生成装置２の中には、帯電粒子生成装置２が備えている送風ファン２０３（図９参照）の機能以上の気流が供給される。帯電粒子生成装置２に取り込まれる気流の量は、帯電粒子生成装置２が収容部１０２から外されて単独で使用される場合に比べて、帯電粒子生成装置２が収容部１０２に取り付けられている場合の方が多くなる。
【００７３】
帯電粒子生成装置２から発生する帯電粒子の量は、帯電粒子生成装置２に供給される気流の量に比例する。帯電粒子生成装置２から発生する帯電粒子の量は、帯電粒子生成装置２が収容部１０２から外されて単独で使用される場合に比べて、帯電粒子生成装置２が収容部１０２に取り付けられている場合の方が多くなる。したがって、空調機１１によれば、帯電粒子生成装置１３０および帯電粒子生成装置２が高い生成効率で帯電粒子を生成することが可能となっている。
【００７４】
上述のとおり、空調機１１の通風路１２３には、ガイド部１２５が設けられる。ガイド部１２５が設けられていることによって、通風路１２３を通過する気流の一部は、帯電粒子生成装置２の吸込口２３０（図９参照）に向かって積極的に案内される。ガイド部１２５が設けられていることによって、帯電粒子生成装置２から発生する帯電粒子の量をより増加させることが可能となる。ガイド部１２５は、必要に応じて設けられているとよい。
【００７５】
上述のとおり、帯電粒子生成装置１３０は、通風路１２３から見て第１面部材１２３Ａの側に配置される。収容部１０２および帯電粒子生成装置２は、通風路１２３から見て第２面部材１２３Ｂの側に配置される。第１面部材１２３Ａおよび第２面部材１２３Ｂは、対向配置されている。帯電粒子を含む空気が吹出口１２４から吹き出される際、帯電粒子生成装置１３０によって帯電粒子が付加された空気は、通風路１２３の第１面部材１２３Ａ寄りの部分を流れ、帯電粒子生成装置２によって帯電粒子が付加された空気は、通風路１２３の第２面部材１２３Ｂ寄りの部分を流れる。
【００７６】
帯電粒子生成装置１３０によって帯電粒子が付加された空気は、矢印ＤＲ１に示すように、吹出口１２４から吹き出される。帯電粒子生成装置２によって帯電粒子が付加された空気は、矢印ＤＲ２に示すように、吹出口１２４から吹き出される。帯電粒子生成装置１３０によって帯電粒子が付加された空気および帯電粒子生成装置２によって帯電粒子が付加された空気は、互いに混じり合いにくくなっている。帯電粒子同士が結合して消滅し、イオンの発生量が低下することは、効果的に抑制されている。空調機１１によれば、高濃度の帯電粒子を含む気流を発生させることができる。
【００７７】
上述のとおり、帯電粒子生成装置２は、収容部１０２に着脱可能に構成される。使用者が帯電粒子を皮膚あるいは毛髪に照射したい場合には、帯電粒子生成装置２を収容部１０２から取り外して使用することができる。空調機１１によれば、使用者の利便性を高めることができる。一方、帯電粒子生成装置２を収容部１０２に取り付けることにより、帯電粒子生成装置２を使用しない場合に帯電粒子生成装置２を機器本体１に収納することができる。使用者は、帯電粒子生成装置２を使用したい場合に、その場所を見つけやすくなる。
【００７８】
帯電粒子生成装置２の制御回路２６０は、機器本体１の動作を示す信号を受けて、機器本体１と連動するように帯電粒子生成素子２２０を制御する。使用者は、帯電粒子生成装置２と機器本体１とを別々に操作することなく帯電粒子生成装置２と機器本体１とを制御できる。空調機１１によれば、使用者の利便性をさらに高めることができる。
【００７９】
より詳しく説明すると、機器本体１は、操作パネル１０４を備える。操作パネル１０４は使用者によって操作される。帯電粒子生成装置２の制御回路２６０は、操作パネル１０４の操作内容を示す信号を受信して、機器本体１と連動するように帯電粒子生成素子２２０を制御する。したがって、帯電粒子生成装置２が収容部１０２に取り付けられた状態において、使用者は、機器本体１を操作することにより、帯電粒子生成装置２を制御することができる。空調機１１によれば、使用者の利便性をさらに高めることができる。
【００８０】
さらに帯電粒子生成装置２は、手動操作によって、電源（バッテリ２０７）から帯電粒子生成素子２２０に電圧を供給するか否かを切換えるスイッチ２０８を備える。コネクタ２０９は、バッテリ２０７および帯電粒子生成素子２２０に電気的に接続されるとともに機器本体１から供給される電力を受ける電源端子２９１を含む。機器本体１への帯電粒子生成装置２の装着時において、制御回路２６０は、機器本体１からの信号に応答して、帯電粒子生成素子２２０を制御する。
【００８１】
帯電粒子生成素子２２０には機器本体１から電力が供給される。制御回路２６０は、機器本体１からの信号に応答して、帯電粒子生成素子２２０を起動および停止させる。これにより、スイッチ２０８がオンしたまま機器本体１に帯電粒子生成装置２が装着されていても、機器本体１の操作によって帯電粒子生成素子２２０を起動および停止させることができる。さらにスイッチ２０８がオフした状態で機器本体１に帯電粒子生成装置２が装着されている場合にも、機器本体１の操作によって帯電粒子生成素子２２０を起動および停止させることができる。
【００８２】
これにより、たとえば、機器本体１が停止しているものの帯電粒子生成装置２が動作し続けることを防ぐことができる。機器本体１が停止しているにもかかわらず帯電粒子生成装置２が動作している場合、帯電粒子生成装置２のバッテリが消耗する可能性がある。機器本体１が停止しているときに帯電粒子生成装置２を停止させることによって、帯電粒子生成装置２のバッテリが消耗することを防ぐことができる。
【００８３】
さらに、電源端子２９１は、バッテリ２０７に電気的に接続される。機器本体１への帯電粒子生成装置２の装着時において、バッテリ２０７は、機器本体１からの電力を受けて充電される。これにより、使用者が次回に帯電粒子生成装置２を機器本体１から取り外して帯電粒子生成装置２を使用する際に、帯電粒子生成装置２の使用時間を長くすることができる。空調機１１によれば、使用者の利便性をさらに高めることができる。
【００８４】
［実施の形態２］
（空調機１２）
図１３を参照して、本実施の形態における空調機１２について説明する。上述の実施の形態１の空調機１１においては、帯電粒子生成装置１３０が、送風機１２８が発生する気流の方向において、ガイド部１２５の先端部１２５Ｔよりも通風路１２３の下流側（吹出口１２４寄り）に位置している（図６参照）。当該構成によれば、帯電粒子生成装置１３０が生成した帯電粒子の多くを吹出口１２４から取り出すことが可能となる。
【００８５】
図１３に示すように、本実施の形態の空調機１２では、帯電粒子生成装置１３０が、送風機１２８が発生する気流の方向において、ガイド部１２５の先端部１２５Ｔよりも通風路１２３の上流側（送風機１２８寄り）に位置している。当該構成によれば、帯電粒子生成装置１３０が生成した帯電粒子を含む気流が、収容部１０２に流れる。収容部１０２の内部に帯電粒子を含む気流が供給されることによって、収容部１０２の内部は効果的に除菌されることが可能となる。
【００８６】
［実施の形態３］
（空調機１３）
図１４を参照して、本実施の形態における空調機１３について説明する。空調機１３においては、風向調整部１０６と風路形成部１０６Ｔとの間に、収容部１０２が形成される。通風路１２３から見て、帯電粒子生成装置１３０および帯電粒子生成装置２の双方が、第１面部材１２３Ａ側に配置される。
【００８７】
当該構成によっても、通風路１２３を通過する気流の一部は、吸込口２３０（図９参照）を通して帯電粒子生成装置２の内部に取り込まれる。この際、送風機１２８からの送風を受けて、帯電粒子生成装置２の中には、帯電粒子生成装置２が備えている送風ファン２０３（図９参照）の機能以上の気流が供給される。帯電粒子生成装置２に取り込まれる気流の量は、帯電粒子生成装置２が収容部１０２から外されて単独で使用される場合に比べて、帯電粒子生成装置２が収容部１０２に取り付けられている場合の方が多くなる。
【００８８】
帯電粒子生成装置２から発生する帯電粒子の量は、帯電粒子生成装置２に供給される気流の量に比例する。帯電粒子生成装置２から発生する帯電粒子の量は、帯電粒子生成装置２が収容部１０２から外されて単独で使用される場合に比べて、帯電粒子生成装置２が収容部１０２に取り付けられている場合の方が多くなる。したがって、空調機１３によっても、帯電粒子生成装置１３０および帯電粒子生成装置２が高い生成効率で帯電粒子を生成することが可能となっている。
【００８９】
［実施の形態４］
（帯電粒子生成装置２Ａ）
図１５〜図１７を参照して本実施の形態における空調機について説明する。本実施の形態の空調機においては、上述の各実施の形態における帯電粒子生成装置２の代わりに、帯電粒子生成装置２Ａが用いられる。図１５は、帯電粒子生成装置２Ａを示す背面図である。図１６は、帯電粒子生成装置２Ａを示す側面図である。
【００９０】
図１５および図１６を参照して、帯電粒子生成装置２Ａは、導電体２７０をさらに備える。導電体２７０は、たとえば板状に形成され、ケース２０１の外表面に設けられる。導電体２７０は、ケース２０１の表面にメッキまたは蒸着等の手段によって形成された金属の薄膜であってもよい。導電体２７０は、ケース２０１の内部に収められていてもよい。
【００９１】
図１７は、本実施の形態における空調機が備える収容部１０２を示す図である。図１７を参照して、筐体１００の一部である壁１００ａおよびガイド部１２５によって、収容部１０２が形成される。壁１００ａの表面（収容部１０２の側面１０１）には導電部材１２７が配置される。導電部材１２７は、帯電粒子生成装置２Ａの導電体２７０と電気的に接触する。図１７には示されていないが、たとえば導電部材１２７は接地電位に結合される。
【００９２】
帯電粒子生成装置２Ａが収容部１０２から取り外されて単体で使用される際には、帯電粒子生成装置２Ａに電荷が次第に蓄積される可能性がある。帯電粒子生成装置２Ａに電荷が蓄積された状態で帯電粒子生成装置２Ａが収容部１０２に取り付けられた場合、帯電粒子生成装置２Ａから放出されるイオンの量が減る場合がある。
【００９３】
図１７に示された構成によれば、帯電粒子生成装置２Ａに帯電された電荷を、導電部材１２７を通じて逃がすことができる。これにより、帯電粒子生成装置２Ａから放出されるイオンの量が減ることを効果的に抑制することが可能となる。したがって、空調機から放出されるイオンの量が減少するのを抑えることができる。
【００９４】
（第１変形例）
図１８に示す帯電粒子生成装置２Ｂのように、導電体２７０は、ケース２０１の側面にのみ配置されていてもよい。当該構成によっても、上述と同様の作用および効果を得ることができる。
【００９５】
（第２変形例）
図１９に示す帯電粒子生成装置２Ｃのように、導電体２７０は、ケース２０１の底面にのみ配置されていてもよい。当該構成によっても、上述と同様の作用および効果を得ることができる。
【００９６】
（第３変形例）
図２０に示す帯電粒子生成装置２Ｄのように、導電体２７０は、ケース２０１の背面にのみ配置されていてもよい。当該構成によっても、上述と同様の作用および効果を得ることができる。
【００９７】
［実施の形態５］
（帯電粒子生成装置２Ｅ）
図２１〜図２３を参照して、本実施の形態における空調機について説明する。本実施の形態の空調機は帯電粒子生成装置２Ｅを備える。本実施の形態の空調機と上述の各実施の形態における空調機とは、機器本体１のコネクタ１３１の形状および帯電粒子生成装置２Ｅのコネクタ２０９の形状において異なる。
【００９８】
図２１は、帯電粒子生成装置２Ｅが機器本体１に収容される様子を示す図である。図２１を参照して、コネクタ１３１は、収容部１０２の底面１０３から凸状に設けられた複数の接続端子１３１ａを備える。ケース２０１の底部２０１ｅにはケース２０１の表面に対して凹むように形成された複数の接続端子２０９ａが設けられる。
【００９９】
図２２は、ケース２０１の底部２０１ｅから見たコネクタ２０９を示す底面図である。図２２を参照して、仮想的な正三角形を描いた場合、複数（本実施の形態では６つ）の接続端子２０９ａのうち３つがその正三角形の頂点に１本ずつ配置される。さらに、６つの接続端子２０９ａのうちの残りの３本が、その正三角形の３つの辺に１つずつ配置される。ケース２０１の底部２０１ｅを平面視した場合に、各々の接続端子２０９ａは円形の外形形状を有する。
【０１００】
６つの接続端子２０９ａのうちの２つが、電源端子２９１および信号入力端子２９２（図１１参照）にそれぞれ対応する。電源端子２９１および信号入力端子２９２の配置は限定されない。６つの接続端子２０９ａによって規定される三角形は、正三角形に限定されるものではない。たとえば上記の三角形は二等辺三角形でもよく、不等辺三角形であってもよい。
【０１０１】
図２３は、帯電粒子生成装置２Ｅのケース２０１の断面を模式的に示す図である。図２３を参照して、接続端子２０９ａは、ケース２０１の底部２０１ｅに凹状に形成される。接続端子２０９ａは、制御回路２６０の構成要素である基板２６０ａに電気的に接続される。一方、コネクタ１３１の接続端子１３１ａは、制御回路１３２の基板１３２ａに形成され、収容部１０２の底面１０３から突出する。接続端子１３１ａと接続端子２０９ａとが嵌合される。
【０１０２】
帯電粒子生成装置２Ｅの底部に凹部が形成される。帯電粒子生成装置２Ｅの凹部と、収容部１０２に形成された凸部とが嵌合される。これにより帯電粒子生成装置２Ｅを機器本体１に容易に接続することができる。帯電粒子生成装置２Ｅが機器本体１に装着された状態において、機器本体１の収容部１０２は帯電粒子生成装置２Ｅを安定的に支持することができる。
【０１０３】
（変形例）
図２４は、実施の形態５の変形例における帯電粒子生成装置２Ｆのケース２０１の底部２０１ｅから見たコネクタ２０９の平面図である。図２４を参照して、ケース２０１の底部２０１ｅに複数の凹部２０９ｂが形成される。複数の凹部２０９ｂの１つにコネクタ２０９ｃが配置される。コネクタ２０９ｃは、電源端子２９１と、信号入力端子２９２とを有する。図２４に示す６つの接続端子２０９ａのうちの１つを、コネクタ２０９ｃに置き換えてもよい。
【０１０４】
図２５は、図２４に示すケース２０１の断面図である。図２５を参照して、収容部１０２の底面１０３に、コネクタ１３１ｂが形成される。一方、複数の凹部２０９ｂの１つにコネクタ２０９ｃが配置される。コネクタ１３１ｂ，２０９ｃは、２つの電気機器の間で電力および制御信号の両方を伝送させるための規格に従うコネクタである。コネクタ１３１ｂ，２０９ｃは、たとえばｍｉｎｉ  ＵＳＢ（Universal  Serial  Bus）の規格に従うコネクタである。当該構成によっても、上記と同様の作用および効果を得ることができる。
【０１０５】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１０６】
１  機器本体、２，２Ａ，２Ｂ，２Ｃ，２Ｄ，２Ｅ，２Ｆ  帯電粒子生成装置（第２帯電粒子生成装置）、１１，１２，１３  空調機、１００  筐体、１００ａ  壁、１０１，２０１ｃ  側面、１０２  収容部、１０３  底面、１０４  操作パネル、１０６  風向調整部、１０６Ｐ  支持部、１０６Ｔ  風路形成部、１０８  給水タンク、１１０  水受部、１１２  吸気口、１１４  電源コード接続口、１１５  電源コード、１１９  水、１２１，１２２，１２３  通風路、１２３Ａ  第１面部材、１２３Ｂ  第２面部材、１２４，２４０  吹出口、１２５  ガイド部、１２５Ｔ  先端部、１２６  フィルタ、１２７  導電部材、１２８  送風機（第１送風手段）、１３０  帯電粒子生成装置（第１帯電粒子生成装置）、１３１，１３１ｂ，２０９，２０９ｃ  コネクタ、１３１ａ，２０９ａ  接続端子、１３２，２６０  制御回路（制御部）、１３２ａ，２１１，２６０ａ  基板、１４０  電源部、１５１，１５２，１５３，１５４  操作ボタン、１５５，１５６，１５７，１５８，１５９，１６０，１６１，１６２，１６３  表示ランプ、２０１  ケース、２０１ａ  上側ケース、２０１ｂ  下側ケース、２０１ｄ  一方端、２０１ｅ  底部、２０３  送風ファン（第２通風手段）、２０３ａ，２０３ｂ  開口、２０４ａ  正イオン放電部、２０４ｂ  負イオン放電部、２０５ａ  正側整流素子、２０５ｂ  負側整流素子、２０６  高電圧発生部、２０７  バッテリ、２０８  スイッチ、２０９ｂ  凹部、２１０  駆動部、２１１ａ  表面、２１５  帯電粒子生成部、２２０  帯電粒子生成素子、２３０  吸込口、２５０  クリップ、２７０  導電体、２８０  充電回路、２９１  電源端子、２９２  信号入力端子、ＡＲ１，ＤＲ１，ＤＲ２  矢印。
【図１】
2014044812.tif 000003
【図２】
2014044812.tif 000004
【図３】
2014044812.tif 000005
【図４】
2014044812.tif 000006
【図５】
2014044812.tif 000007
【図６】
2014044812.tif 000008
【図７】
2014044812.tif 000009
【図８】
2014044812.tif 000010
【図９】
2014044812.tif 000011
【図１０】
2014044812.tif 000012
【図１１】
2014044812.tif 000013
【図１２】
2014044812.tif 000014
【図１３】
2014044812.tif 000015
【図１４】
2014044812.tif 000016
【図１５】
2014044812.tif 000017
【図１６】
2014044812.tif 000018
【図１７】
2014044812.tif 000019
【図１８】
2014044812.tif 000020
【図１９】
2014044812.tif 000021
【図２０】
2014044812.tif 000022
【図２１】
2014044812.tif 000023
【図２２】
2014044812.tif 000024
【図２３】
2014044812.tif 000025
【図２４】
2014044812.tif 000026
【図２５】
2014044812.tif 000027